(57)【要約】【課題】大きな釣果が得られうる疑似餌２の提供。【解決手段】疑似餌２は、ヘッド４、チューブ６、ゴムバンド８、プラグ１０、リング１２、フックユニット１４、ネクタイ１６及びスカート１８を有している。ヘッド４には、ソケットが形成されている。この疑似餌２が用いられるには、まず、ネクタイ１６及び糸５４がステー４４に掛けられる。次に、ネクタイ１６及び糸５４がゴムバンド８によりプラグ１０に取り付けられる。次に、このプラグ１０が、チューブ６に挿入される。次に、プラグ１０及びチューブ６がソケットに挿入される。挿入により、チューブ６は、ソケット２６とプラグ１０との間に介在する。チューブ６は、圧縮されている。このチューブ６の復元力により、プラグ１０がヘッド４に固定される。この固定により、プラグ１０に取り付けられたネクタイ１６及び糸５４も、ヘッド４に固定される。【選択図】図１
2015039352.tif 000002
【特許請求の範囲】
【請求項１】
高比重である疑似餌ヘッドであって、
プラグが挿入されるためのソケットを有しており、
上記プラグが上記ソケットに挿入されることによってこのプラグに取り付けられた部材が上記疑似餌ヘッドに固定され、上記プラグが上記ソケットから抜脱されることによってこのプラグに取り付けられた部材が上記疑似餌ヘッドから離間するように構成されたことを特徴とする疑似餌ヘッド。
【請求項２】
ソケットを有し高比重であるヘッドと、プラグと、上記プラグに取り付けられた揺動体とを備えており、
上記プラグが上記ソケットに挿入されることによって上記揺動体が上記ヘッドに固定され、上記プラグが上記ソケットから抜脱されることによって上記揺動体が上記ヘッドから離間する疑似餌。
【請求項３】
弾性材料からなるチューブをさらに備えており、
上記プラグが上記チューブに覆われた状態で上記ソケットに挿入されることで、上記チューブが上記プラグと上記ヘッドとの間に圧縮状態で介在し、上記チューブの復元力によって上記プラグが上記ヘッドに固定されうる請求項２に記載の疑似餌。
【請求項４】
上記ヘッドが上記ソケットと上記ヘッドの表面との間を連通する孔を有しており、上記孔、上記チューブ及び上記プラグの順にラインが通されうる請求項３に記載の疑似餌。
【発明の詳細な説明】
【技術分野】
【０００１】
本発明は、釣りに用いられる疑似餌に関する。詳細には、本発明は、高比重なヘッドを有する疑似餌に関する。
【背景技術】
【０００２】
カブラと称される疑似餌を用いて、鯛釣りが行われている。この疑似餌は、金属製のヘッド並びにゴム製のネクタイ及びスカートを備えている。この疑似餌は、ラインが結ばれた状態で、海底に沈められる。ラインが引かれて疑似餌が海水中を上昇すると、ヘッドのフラッシングが鯛にアピールする。さらに、水圧を受けてネクタイ及びスカートが揺動する。この揺動により、鯛は疑似餌を生きた餌と勘違いし、この疑似餌を追う。鯛はまず、ネクタイ又はスカートに食いつく。この段階では、フッキングはなされていない。さらに鯛が疑似餌に深く食いつき、フックが鯛の口に吸い込まれる。このフックが鯛に刺さって、鯛が釣り上げられる。鯛釣りに適した疑似餌が、特開２００８−２１２１４６公報に記載されている。
【先行技術文献】
【特許文献】
【０００３】
【特許文献１】特開２００８−２１２１４６公報
【発明の概要】
【発明が解決しようとする課題】
【０００４】
釣り人の最大の関心事は、釣果である。釣り人は、従来の疑似餌に満足していない。本発明の目的は、大きな釣果が得られうる疑似餌の提供にある。
【課題を解決するための手段】
【０００５】
本発明に係る疑似餌ヘッドは、高比重である。この疑似餌ヘッドは、プラグが挿入されるためのソケットを有する。このプラグがソケットに挿入されることにより、このプラグに取り付けられた部材が疑似餌ヘッドに固定されうる。このプラグがソケットから抜脱されることにより、このプラグに取り付けられた部材が疑似餌ヘッドから離間しうる。
【０００６】
他の観点によれば、本発明に係る疑似餌は、ソケットを有し高比重であるヘッドと、プラグと、このプラグに取り付けられた揺動体とを備える。このプラグがソケットに挿入されることにより、揺動体がヘッドに固定されうる。このプラグがソケットから抜脱されることにより、揺動体がヘッドから離間しうる。
【０００７】
好ましくは、疑似餌は、弾性材料からなるチューブをさらに備える。プラグがチューブに覆われた状態でソケットに挿入されることで、チューブは、プラグとヘッドとの間に圧縮状態で介在する。このチューブの復元力により、プラグがヘッドに固定される。
【０００８】
好ましくは、ヘッドは、ソケットとヘッドの表面との間を連通する孔を有する。この疑似餌では、孔、チューブ及びプラグの順にラインが通されうる。
【発明の効果】
【０００９】
本発明に係る疑似餌では、揺動体がヘッドに固定された状態と、揺動体がヘッドから離間した状態との、両方が達成されうる。釣り人は、状況に応じ、２つの状態からいずれかを選択できる。この疑似餌により、大きな釣果が得られうる。
【図面の簡単な説明】
【００１０】
【図１】図１は、本発明の一実施形態に係る疑似餌がラインと共に示された分解図である。
【図２】図２（ａ）は図１の疑似餌のヘッドが示された断面図であり、図２（ｂ）は図２（ａ）のＢ−Ｂ線に沿った断面図である。
【図３】図３（ａ）は図１の疑似餌のチューブが示された斜視図であり、図３（ｂ）は図３（ａ）のチューブが示された前後方向に沿った断面図であり、図３（ｃ）は図３（ｂ）のＣ−Ｃ線に沿った断面図である。
【図４】図４（ａ）は図１の疑似餌のゴムバンドが示された斜視図であり、図４（ｂ）は図４（ａ）のゴムバンドが示された断面図である。
【図５】図５（ａ）は図１の疑似餌のプラグが示された断面図であり、図５（ｂ）は図５（ａ）のＢ−Ｂ線に沿った断面図である。
【図６】図６は、図１の疑似餌の一部が示された拡大断面図である。
【図７】図７は、図１の疑似餌の一部が示された拡大断面図である。
【図８】図８は、図１の疑似餌の使用状態が示された正面図である。
【図９】図９は、図１の疑似餌の使用状態が示された正面図である。
【図１０】図１０は、図１の疑似餌の使用状態が示された正面図である。
【発明を実施するための形態】
【００１１】
以下、適宜図面が参照されつつ、好ましい実施形態に基づいて本発明が詳細に説明される。
【００１２】
図１に示された疑似餌２は、カブラと称される。この疑似餌２は、ヘッド４、チューブ６、ゴムバンド８、プラグ１０、リング１２、フックユニット１４、ネクタイ１６及びスカート１８を有している。図１における左側は、疑似餌２の前側である。図１には、ライン２０も示されている。
【００１３】
図２（ａ）に示されるように、ヘッド４は、主部２２、前カップ２４及び後カップ２６を有している。主部２２には、孔２８、前拡径部３０及び後拡径部３２が穿設されている。前拡径部３０の内径は、孔２８の内径よりも大きい。後拡径部３２の内径は、孔２８の内径よりも大きい。前拡径部３０は、孔２８よりも前側に位置している。この前拡径部３０に、前カップ２４がはめ込まれている。この前カップ２４は、接着剤により、前拡径部３０に接合されている。後拡径部３２は、孔２８よりも後側に位置している。この後拡径部３２に、後カップ２６がはめ込まれている。後カップ２６は、接着剤により、後拡径部３２に接合されている。後カップ２６は、ソケットである。疑似餌２が、後カップ２６を有さないヘッド４を備えてもよい。この場合、後拡径部３２がソケットである。孔２８及び前カップ２４により、ソケットが、ヘッド４の前側表面と連通している。
【００１４】
孔２８の内径は、ライン２０の外径よりも十分に大きい。従って、前拡径部３０、孔２８及び後拡径部３２にライン２０が通されたとき、ヘッド４は、このライン２０に対して容易に相対移動しうる。
【００１５】
ヘッド４は、海水よりも高比重である。従って、ヘッド４は海水に沈む。ヘッド４の質量は、１０ｇから１５０ｇ、特には２０ｇから１００ｇである。ヘッド４の主部２２に好適な材料として、鉛、鉛合金、タングステン及びタングステン合金が例示される。高比重な材料が用いられることにより、小さなサイズと大きな質量とを兼ね備えたヘッド４が得られる。ヘッド４の表面に塗装が施されてもよい。
【００１６】
図３（ａ）−（ｃ）に示されるように、チューブ６は円錐台形状を有する。図３（ｂ）における左方向は、チューブ６の前方向である。チューブ６の側面３４は、前側に向かってテーパー状である。チューブ６の内面３６も、前側に向かってテーパー状である。
【００１７】
チューブ６の内径は、ライン２０の外径よりも十分に大きい。従って、チューブ６にライン２０が通されたとき、チューブ６は、このライン２０に対して容易に相対移動しうる。
【００１８】
チューブ６は、弾性変形が容易な材料からなる。チューブ６の基材として、ゴム、軟質合成樹脂及び軟質熱可塑性エラストマーが例示される。典型的な基材は、シリコーンゴムである。チューブ６は、ソケット（本実施形態では後カップ２６）よりも軟質である。チューブ６は、後に詳説されるプラグ１０よりも軟質である。
【００１９】
図３（ａ）及び（ｃ）に示されるように、チューブ６はスリット３８を有している。スリット３８の役割は、後に詳説される。疑似餌２が、スリット３８を有さないチューブ６を備えてもよい。
【００２０】
図４（ａ）及び（ｂ）に示されるように、ゴムバンド８は環状である。ゴムバンド８は、伸縮しうる。
【００２１】
図５（ａ）及び（ｂ）に示されるように、プラグ１０は、筒部４０、鍔部４２及びステー４４を有している。筒部４０、鍔部４２及びステー４４は、一体成形されている。筒部４０は、前端部４６を有する。前端部４６は、大きな外径を有する。
【００２２】
プラグ１０はさらに、筒部４０と鍔部４２とを貫通する孔４８を有する。孔４８の内径は、ライン２０の外径よりも十分に大きい。従って、孔４８にライン２０が通されたとき、プラグ１０は、このライン２０に対して容易に相対移動しうる。
【００２３】
プラグ１０は、硬質な材料からなる。典型的には、プラグ１０は、硬質な合成樹脂からなる。
【００２４】
フックユニット１４（図１参照）は、鉤素５０と２つのフック５２とからなる。鉤素５０の一端に一方のフック５２が締結されており、鉤素５０の他端に他方のフック５２が締結されている。鉤素５０の典型的な材質は、アラミド繊維（登録商標「ケブラー」）である。フック５２は、金属からなる。フックユニット１４は、リング１２を介してライン２０と連結されている。
【００２５】
ネクタイ１６は、帯状である。このネクタイ１６は、「揺動体」である。このネクタイ１６の中央近傍は、ステー４４に掛けられる。ネクタイ１６は、軟質材料からなる。水圧を受けたとき、ネクタイ１６は揺れ動いて、鯛にアピールする。ネクタイ１６が設けられなくてもよい。
【００２６】
ネクタイ１６は、ゴム組成物からなる。典型的には、ネクタイ１６は、ラテックス製法により得られる。この製法では、天然ゴムラテックス又は合成ゴムラテックスに、架橋剤及び着色剤が添加され、ラテックス組成物が得られる。このラテックス組成物から、シートが成形される。このシートが加熱されることで、ゴムの架橋反応が起こる。このシートが帯状に裁断されて、ネクタイ１６が得られる。着色剤で着色されたネクタイ１６は、鯛にアピールする。ネクタイ１６が、軟質合成樹脂から形成されてもよい。
【００２７】
スカート１８は、多数の糸５４からなる。この糸５４も、「揺動体」である。この糸５４は、長尺である。この糸５４の中央近傍は、ステー４４に掛けられる。糸５４は、軟質材料からなる。水圧を受けたとき、糸５４は揺れ動いて鯛にアピールする。糸５４が設けられなくてもよい。
【００２８】
糸５４は、ゴム組成物からなる。典型的には、糸５４は、ラテックス製法により得られる。この製法では、天然ゴムラテックス又は合成ゴムラテックスに、架橋剤及び着色剤が添加され、ラテックス組成物が得られる。このラテックス組成物から、シートが成形される。このシートが加熱されることで、ゴムの架橋反応が起こる。このシートが裁断されて、糸５４が得られる。着色剤で着色された糸５４は、鯛にアピールする。糸５４が、軟質合成樹脂から形成されてもよい。
【００２９】
この疑似餌２が用いられるには、まず、ネクタイ１６及び糸５４がステー４４に掛けられる。次に、プラグ１０がゴムバンド８に通される。ゴムバンド８は、ネクタイ１６及び糸５４を締め付ける。この締め付けにより、ネクタイ１６及び糸５４がプラグ１０に取り付けられる。次に、このプラグ１０が、チューブ６に挿入される。挿入により、筒部４０がチューブ６に覆われる。次に、図６に示されるように、プラグ１０及びチューブ６がソケット２６（後カップ）に挿入される。図６では、ネクタイ１６及び糸５４の図示が省略されている。
【００３０】
図６に示された状態では、チューブ６は、ソケット２６とプラグ１０との間に介在している。チューブ６は、圧縮されている。このチューブ６の復元力により、プラグ１０がヘッド４に固定されている。この固定により、プラグ１０に取り付けられた揺動体（ネクタイ１６及び糸５４）も、ヘッド４に固定される。
【００３１】
図７には、チューブ６がライン２０から取り外された疑似餌２が示されている。この取り外しは、ライン２０がスリット３８を通過することで容易に達成されうる。スリット３８を有さないチューブ６の場合、ライン２０が切断されて、チューブ６がこのライン２０から取り外される。スリット３８が外された疑似餌２では、プラグ１０がソケット２６に挿入されても、このプラグ１０はヘッド４に固定されない。この疑似餌２では、ヘッド４に対して前後方向（図７の左右方向）に、プラグ１０がフリーで移動しうる。プラグ１０の移動は、ネクタイ１６及び糸５４の移動を伴う。図７では、ネクタイ１６及び糸５４の図示が省略されている。
【００３２】
図８には、プラグ１０がヘッド４に固定された状態にある疑似餌２が示されている。換言すれば、図８には、ネクタイ１６及びスカート１８がヘッド４に固定された状態にある疑似餌２が示されている。疑似餌２は、水中にある。ライン２０が引かれることにより、疑似餌２は、矢印Ａで示された方向に移動している。
【００３３】
矢印Ａで示された方向への移動により、ネクタイ１６及びスカート１８が揺動する。この揺動は、鯛にアピールする。疑似餌２を生き餌と勘違いした鯛は、この疑似餌２に食いつく。食いつきにより、フック５２が鯛に突き刺さり、この鯛が釣り上げられる。
【００３４】
前述の通り、ネクタイ１６及びスカート１８がヘッド４に固定されているので、疑似餌２が移動するときに生じるネクタイ１６及びスカート１８の揺動は、安定している。安定した揺動は、鯛に対してよりよくアピールする。この疑似餌２により、大きな釣果が得られる。
【００３５】
図９には、フック５２が突き刺さった鯛５６が示されている。前述の通り、ヘッド４の孔２８の内径及びプラグ１０の孔４８の内径は、ライン２０の外径に比べて十分に大きい。従って、鯛５６がフック５２を引っ張ったとき、ヘッド４に対してライン２０が移動しうる。移動により、図９に示されるように、フック５２がヘッド４から離れる。図９に示された状態で鯛５６が首を振っても、質量の大きなヘッド４がフック５２から離れているので、フック５２が鯛５６から外れにくい。この疑似餌２により、優れたフッキング率が達成されうる。
【００３６】
ネクタイ１６及びスカート１８はヘッド４に固定されているので、ヘッド４がフック５２から離れることにより、ネクタイ１６及びスカート１８もフック５２から離れている（図９参照）。この状態で鯛５６が首を振っても、フック５２によるネクタイ１６及びスカート１８の損傷が生じにくい。この疑似餌２では、ネクタイ１６及びスカート１８が長持ちする。
【００３７】
図１０には、プラグ１０がヘッド４に固定されていない状態にある疑似餌２が示されている。換言すれば、図１０には、ネクタイ１６及びスカート１８がヘッド４に固定されていない状態にある疑似餌２が示されている。疑似餌２は、水中においてフォール中である。疑似餌２は、矢印Ａで示された方向に移動している。
【００３８】
フォール中、ネクタイ１６及びスカート１８は、水の大きな抵抗力を受ける。この抵抗力の方向は、ネクタイ１６及びスカート１８をヘッド４から離す方向である。図１０には、ヘッド４から離れたネクタイ１６及びスカート１８が示されている。この状態でのネクタイ１６及びスカート１８の揺動は、生き餌の動きに近い。この疑似餌２により、フォール中の優れたフッキング率が達成されうる。
【産業上の利用可能性】
【００３９】
本発明に係る疑似餌は、鯛のみならず、太刀魚、ヒラメ、アイナメ、マゴチ等の種々の魚をターゲットにした釣りに適している。本発明に係るヘッドは、他の揺動体や生き餌の沈降にも用いられうる。
【符号の説明】
【００４０】
２・・・疑似餌
４・・・ヘッド
６・・・チューブ
８・・・ゴムバンド
１０・・・プラグ
１４・・・フックユニット
１６・・・ネクタイ
１８・・・スカート
２０・・・ライン
２６・・・ソケット（後カップ）
３８・・・スリット
４４・・・ステー
５２・・・フック
【図１】
2015039352.tif 000003
【図２】
2015039352.tif 000004
【図３】
2015039352.tif 000005
【図４】
2015039352.tif 000006
【図５】
2015039352.tif 000007
【図６】
2015039352.tif 000008
【図７】
2015039352.tif 000009
【図８】
2015039352.tif 000010
【図９】
2015039352.tif 000011
【図１０】
2015039352.tif 000012